(57)【要約】【課題】簡単に結束できると共に簡単に取り外すことができるテープを提供する。【解決手段】電線同士、電線と部品、ワイヤハーネスの幹線と分岐線、ワイヤハーネスと部品のいずれかからなる被結束材を結束するテープであって、樹脂製のテープ本体２の中にコイル状に賦形された芯材３を埋設して、テープ自体にコイル状に巻回するバネ性を付与しており、巻付時に前記テープの先端を引っ張って伸ばした状態で前記被結束材に沿わせると、前記バネ性により被結束材に着脱自在に結束することを特徴とする。【選択図】図１
2010130812.tif 000002
【特許請求の範囲】
【請求項１】
電線同士、電線と部品、ワイヤハーネスの幹線と分岐線、ワイヤハーネスと部品のいずれかからなる被結束材を結束するテープであって、
樹脂製のテープ本体の中にコイル状に賦形された芯材を埋設して、テープ自体にコイル状に巻回するバネ性を付与しており、
巻付時に前記テープの先端を引っ張って伸ばした状態で前記被結束材に沿わせると、前記バネ性により被結束材に着脱自在に結束することを特徴とするテープ。
【請求項２】
所定の前記被結束材へ所定の複数回巻き付けられる長さに予め設定した定尺テープとしている請求項１に記載のテープ。
【請求項３】
仮結束用としている請求項１または請求項２に記載のテープ。
【発明の詳細な説明】
【技術分野】
【０００１】
本発明はテープに関し、詳しくは、自動車に配索される電線同士あるいは電線と部品とを結束するために用いると共に、結束後に取り外すことも容易にできるテープに関するものである。
【背景技術】
【０００２】
自動車等の車両には端末にコネクタが接続された多数の電線が配索され、これらの電線群を結束したものがワイヤハーネスと称されている。
該ワイヤハーネスを構成する電線群は、配索時に配索経路に沿って容易に曲がることができるように、図８（Ａ）（Ｂ）に示すように、束ねた電線群Ｗの外周面に粘着テープＴを螺旋状に巻き付けて結束してワイヤハーネス１００を形成している。該粘着テープＴのテープ本体Ｔａは、一般的に塩化ビニルテープからなり、その一面の全面に粘着剤Ｔｂが塗布されている。
ワイヤハーネス１００の配索箇所が浸水領域であると、電線群中に水が浸水しないように、図８（Ｃ）に示すように、粘着テープＴの幅半分を重ねて巻き付けるハーフラップ巻がなされる。また、浸水対策の必要がない室内側にワイヤハーネスを配索する場合には、図８（Ｄ）に示すように、粘着テープＴの螺旋ピッチを大きくして、粘着テープＴの間に電線群Ｗが露出する荒巻きがなされる。
【０００３】
前記図８（Ｃ）（Ｄ）に示すように電線群に巻き付けてワイヤハーネス１００を組み立てる場合には、テープＴは電線群から取り外されることはない。
一方、図９に示すように、車両に搭載されるオプション部品１１０に接続する電線１１１はワイヤハーネス１００の幹線１１２から分岐して予め設けておき、該分岐した電線１１１を折り畳んで粘着テープ１１３に巻き付けて保持している。オプション電装品１１０が搭載される場合には、粘着テープ１１３を取り外して幹線１１２より分岐する電線１１１を伸ばして、オプション電装品に接続している。オプション電装品１１１が搭載されない場合には、分岐線１１１を粘着テープ１１３で巻き付けた折り畳み状態のままにしている（公技番号２００２−５００４２７号参照）。
【０００４】
前記オプション電装品１１０が搭載されて電線１１１が粘着テープ１１３を取り外して引き出す場合、粘着テープ１１３が電線１１１にしっかりと粘着して剥がしにくい問題がある。
よって、取り外すことが予測される粘着テープ１１３には、図１０に示すように、幅方向の両側に間隔をあけて切り込み部１１３ａを設け、該切り込み部１１３ａから粘着テープ１１３を引き裂くようにして取り外すことも行われている。しかしながら、引き裂いても電線に粘着した部分が残存する場合も多く、かつ、引き裂いたテープがゴミとなり、該ゴミが散逸する問題も生じる。
【０００５】
また、電線群を結束材として、特開２００１−２３９９００号公報に示す図１１に示すスパイラルチューブ１２０が提供されている。該スパイラルチューブ１２０は帯状樹脂材を予めスパイラル状に賦形しており、電線群の外周に巻き付けるようにして取り付け、電線群を結束している。
【０００６】
前記スパイラルチューブ１２０は容易に取り外すことはできるが、螺旋状に賦形されているため、結束領域が長くなる問題がある。オプション止め等に用いる場合にはテープを同心状に巻き付ければよいため、前記スパイラルチューブ１２０の使用は適さない。
【０００７】
【特許文献１】公技番号２００２−５００４２７号
【特許文献２】特開２００１−２３９９００号公報
【発明の開示】
【発明が解決しようとする課題】
【０００８】
本発明は前記問題に鑑みなされたもので、同心状に巻き付けて結束できると共に、容易に取り外すことができ、かつ、取り外した後にも再使用可能なテープを提供することを課題としている。
【課題を解決するための手段】
【０００９】
前記課題を解決するため、本発明は、電線同士、電線と部品、ワイヤハーネスの幹線と分岐線、ワイヤハーネスと部品のいずれかからなる被結束材を結束するテープであって、
樹脂製のテープ本体の中にコイル状に賦形された芯材を埋設して、テープ自体にコイル状に巻回するバネ性を付与しており、
巻付時に前記テープの先端を引っ張って伸ばした状態で前記被結束材に沿わせると、前記バネ性により被結束材を着脱自在に結束することを特徴とするテープを提供している。
【００１０】
前記構成とした本発明のテープを用いると、オプション用の分岐線と幹線、あるいは分岐線が長尺である場合には分岐線を折り畳んだ状態で結束する際に、該テープを結束位置に添わせるだけで、テープ自体の巻き付け力で同心状に巻き付き結束することができる。
また、オプション電装品が搭載されて分岐線を引き出す場合には、テープの巻付端を前記芯材の巻回力に抗して引っ張ると、簡単にテープを引き出すことができ、結束を解除することができる。かつ、該テープには粘着剤が塗布されていないため、再利用も可能となり廃棄物の処理に問題も発生しない。
【００１１】
前記テープは、直線状とした針金あるいは細長い樹脂板をモールドして樹脂製テープ本体を成形され、成形されたテープをコイル状に巻回してバネ性を賦形している。
あるいは、樹脂製テープ本体を表裏２枚の粘着テープ材から形成し、これら２枚のテープ材の粘着面の間に針金からなるコイルまたは樹脂製コイルからなる前記芯材を挟んで固着し一体化して形成している。
【００１２】
本発明のテープは、所定の前記被結束材へ所定の複数回巻き付けられる長さに予め設定した定尺テープとしていることが好ましい。
例えば、電線同士、あるいは電線と部品とを巻き付けて結束する場合、結束状態での１回巻き付け長さが予測でき、１．５周回〜４周回程度巻き付けることができる長さとしている。このように、テープの長さを予め設定しておくと、巻き付け長さを作業員が管理する必要はなく、結束作業が容易にできると共にテープ巻き部分の精度管理を行う必要がない。
【００１３】
なお、テープは前記した所長物に限定されず、所定長さの前記芯材を隙間をあけて長さ方向に配置している一方、前記テープ本体は長さ方向に連続させ、コイル状に巻回しておいてもよい。この場合、テープ本体は芯材が設けられていない隙間で切断して使用する。
【００１４】
本発明のテープは、オプション部品と接続したワイヤハーネスの分岐線を幹線に巻き付ける場合、前記分岐線を折り畳んだ状態で巻き付ける場合等に好適に用いられる。
さらに、分岐線の端末に接続したコネクタや他の電気部品を幹線にテープ巻きして保持しておき、相手方コネクタと嵌合する際、また、前記電気部品を車体パネルに固定する際に幹線からテープを外して引き出す場合等の仮保持用のテープを用いる場合にも好適に用いられる。
さらにまた、ワイヤハーネスを車両に配索する際に、車体パネルに設けた貫通孔や狭い配索経路に配索する場合等には、ワイヤハーネスの幹線と支線、さらにワイヤハーネスに接続した電気部品をシートに包んでテープで仮結束しているが、該仮結束用のテープとしても本発明のテープは好適に用いられる。
【発明の効果】
【００１５】
前述したように、本発明のテープは、テープ自体に巻回力を付与し、被結束材に粘着剤を用いて固着して結束しているのではないため、テープを被結束材に添わせるだけで被結束材に巻き付けて結束することができる。また、テープを取り外す際には、テープの終端を引っ張れば簡単に外すことができ、かつ、取り外した後に再利用できリサイクル品とすることができる。
このように、本発明のテープは特に仮止め用の結束材として利便性が高いものである。
【発明を実施するための最良の形態】
【００１６】
以下、本発明の実施形態を図面を参照して説明する。
図１乃至図４に第一実施形態の結束用のテープ１を示す。
【００１７】
テープ１は樹脂製のテープ本体２の幅方向Ｄの中央部に長さ方向に連続して針金からなる芯材３を埋設し、該芯材３をテープ本体２と共にコイル状に巻回し、テープ１自体にコイル状に巻回するバネ性を付与している。
該テープ１の長さは、被結束材の外周に４周回巻き付ける長さに予め設定した定尺物としている。
【００１８】
テープ１は、図２（Ａ）に示すように、一面に粘着剤４が塗布された２枚のテープ本体２Ａ、２Ｂを、粘着剤４側を対向させて押出成形して連続的に引き出し、粘着剤４の塗布面を対向させた状態で、図２（Ｂ）に示すように、テープ本体２Ａ、２Ｂの幅方向の中心に針金からなる芯材３を供給し、該芯材３を挟んで粘着剤４で互いに粘着して重ねあわせている。
前記テープ本体２Ａ、２Ｂを本実施形態では塩化ビニル製で成形しているが、可撓性と抗張力を有する樹脂であれば限定されない。
ついで、図２（Ｃ）に示すように、設定長さで切断し、
ついで、芯材３を挟んで粘着したテープ本体２Ａ、２Ｂに曲げ加工を施し、芯材３をコイル状に賦形して、図１に示すテープ１を製造している。
なお、テープ１の製造方法は前記に限定されず、芯材３をモールドしてテープ本体２を成形し、その後、前記図１に示すように、コイル状に賦形してもよい。
【００１９】
前記構成としたテープ１は、図３に示すように、ワイヤハーネス５の幹線６より分岐してオプション電装品８と接続する分岐線７の仮結束用に用いている。
前記分岐線７は折り畳んだ状態として幹線６にテープ１を用いて結束している。
【００２０】
テープ１による結束時には、図４に示すように、テープ１の先端１ａを引っ張って帯状に引き出し、該引き出した部分を結束箇所の一面に添わせた状態で、先端１ａをはなすと、先端１ａから幹線６と分岐線７に巻き付いていく。このようにしてテープ１を結束箇所の外周にほぼ１周回巻きした後、テープ１の他端側のコイル巻きされている部分１ｂを離すと、テープ１は結束箇所に巻き付かれた部分の外周に巻き付いていき、所要巻回数の４回巻の状態で巻き付く。
このように、作業者はテープの先端を引き出して結束箇所に添わせるだけで、所定回数のテープ巻きを行うことができ、テープ巻きの巻回数の管理をする必要はなく、テープ巻き作業を簡単に行うことができる。
【００２１】
一方、車両に搭載後に、前記分岐線７を引き出してオプション電装品８と接続する場合には、テープ１の巻端を把持して引き出だすだけで、テープ１を結束箇所から取り外すことができる。テープ１の巻端の引き出しは、テープ１が従来のように電線に粘着されていないため、簡単に引き出すことができる。
結束箇所から取り外した状態で元のコイル状に復元し、再利用することができる。
【００２２】
なお、前記第一実施形態のテープ１では、幅方向の中心に針金からなる芯材３を１本通しているが、図５に示すように、幅方向の両側に２本通してもよい。さらに、細い針金を幅方向に一定ピッチで間隔をあけてストライプ状に配置してもよい。
【００２３】
図６に第二実施形態のテープ１０を示す。
該テープ１０は芯材１３として偏平な細長い板状の樹脂材を用いている。該芯材１３はテープ本体１２の樹脂製テープよりも厚肉とすると共に剛性およびバネ性を付与できるものとしている。該芯材１３の幅Ｄ２はテープ本体１２の幅Ｄ１の約１／３の幅とし、幅方向の中心領域に配置している。
該テープ１０の製造方法は第一実施形態と同様とし、芯材１３をテープ本体１２と共に曲げ加工してコイル状としても良いし、芯材１３を挟んでテープ本体１２を押し出し成形して形成し、テープ本体１２の中央部に芯材１３をモールドしてもよい。
【００２４】
前記テープ１０は第一実施形態と同様にオプション止め用のテープとして好適に用いることができる。
また、図７に示すように、ワイヤハーネス５を自動車に配索する際に、ワイヤハーネス５の幹線６、分岐線７、分岐線７の端末に接続されたコネクタ１６を含む多数の電装品を包装用シート１５で覆い、該包装用シート１５の外周に前記テープ１０を巻き付けている。この状態でワイヤハーネス５を車体パネルに設けた貫通孔を貫通させ、かつ、狭い配索経路に通して、ワイヤハーネスが周辺機器と接触するのを防止している。
ワイヤハーネス５を所定位置に配索した後は、前記テープ１０を取り外し、包装用シート１５も取り外している。
なお、図７の用途には前記第一実施形態のテープ１も好適に用いられる。
【図面の簡単な説明】
【００２５】
【図１】本発明の第一実施形態のテープを示し、（Ａ）は斜視図、（Ｂ）はテープを引き伸ばした状態の一部断面斜視図である。
【図２】（Ａ）〜（Ｃ）は前記テープの製造方法を示す概略図である。
【図３】テープをオプション止めの仮保持用に用いている状態を示す斜視図である。
【図４】テープの使用方法を説明する図面である。
【図５】第一実施形態の変形例を示す図面である。
【図６】第二実施形態のテープを示す斜視図である。
【図７】前記テープの使用状態を示す図面である。
【図８】（Ａ）〜（Ｄ）は従来のテープを示す図面である。
【図９】オプション止めにテープを用いている従来例を示す図面である。
【図１０】従来の他のオプション止めテープを示す図面である。
【図１１】他の従来例のスパイラルチューブを示す図面である。
【符号の説明】
【００２６】
１、１０  テープ
２  テープ本体
３  芯材
５  ワイヤハーネス
６  幹線
７  分岐線
８  オプション電装品
【図１】
2010130812.tif 000003
【図２】
2010130812.tif 000004
【図３】
2010130812.tif 000005
【図４】
2010130812.tif 000006
【図５】
2010130812.tif 000007
【図６】
2010130812.tif 000008
【図７】
2010130812.tif 000009
【図８】
2010130812.tif 000010
【図９】
2010130812.tif 000011
【図１０】
2010130812.tif 000012
【図１１】
2010130812.tif 000013